(57)【特許請求の範囲】
【請求項１】
第一周波数バンド及び第二周波数バンドにおけるデュアルバンド動作のための統合アンテナを有するウィンドウであって：
非導電性窓ガラス；
前記非導電性窓ガラス上に配置される第一アンテナ要素であり、第一ボウタイ形状を形成するように対向する関係で一緒に配置される第一放射要素及び第二放射要素を有する第一アンテナ要素；
前記第一アンテナ要素から間隔を空けて前記非導電性窓ガラス上に配置される第二アンテナ要素であり、前記第一ボウタイ形状とは異なる寸法の第二ボウタイ形状を形成するように対向する関係で一緒に配置される第三放射要素及び第四放射要素を有する第二アンテナ要素；並びに
前記第一放射要素と前記第三放射要素との間に接続されその間に延在する第一トレース要素、及び、前記第二放射要素と前記第四放射要素との間に接続されその間に延在する第二トレース要素であり、双方が前記デュアルバンド動作のための電磁結合を構築するところの第一トレース要素及び第二トレース要素；
を含むウィンドウ。
【請求項２】
前記第一トレース要素は、前記第一放射要素に接続される近位端と、前記第三放射要素に接続される遠位端とを有し、
前記第二トレース要素は、前記第二放射要素に接続される近位端と、前記第四放射要素に接続される遠位端とを有し、
前記近位端の双方が前記統合アンテナに対する電気的接続を提供する、
請求項１に記載のウィンドウ。
【請求項３】
前記第一放射要素及び前記第三放射要素は、前記第一トレース要素における前記近位端及び前記遠位端から延び、
前記第二放射要素及び前記第四放射要素は、前記第二トレース要素における前記近位端及び前記遠位端から延びる、
請求項２に記載のウィンドウ。
【請求項４】
前記第一放射要素は、前記第一トレース要素の前記近位端で始まって枝分かれして延びる第一セグメント及び第二セグメントであり、三角形状を有する閉ループで前記第一放射要素を形成するように、該第一セグメントと該第二セグメントとの間に延在する前記第一放射要素の第三セグメントにつながる第一セグメント及び第二セグメントを含み、
前記第二放射要素は、前記第二トレース要素の前記近位端で始まって枝分かれして延びる第一セグメント及び第二セグメントであり、三角形状を有する閉ループで前記第二放射要素を形成するように、該第一セグメントと該第二セグメントとの間に延在する前記第二放射要素の第三セグメントにつながる第一セグメント及び第二セグメントを含み、
前記第三放射要素は、前記第一トレース要素の前記遠位端で始まって枝分かれして延びる第一セグメント及び第二セグメントであり、三角形状を有する閉ループで前記第三放射要素を形成するように、該第一セグメントと該第二セグメントとの間に延在する前記第三放射要素の第三セグメントにつながる第一セグメント及び第二セグメントを含み、
前記第四放射要素は、前記第二トレース要素の前記遠位端で始まって枝分かれして延びる第一セグメント及び第二セグメントであり、三角形状を有する閉ループで前記第四放射要素を形成するように、該第一セグメントと該第二セグメントとの間に延在する前記第四放射要素の第三セグメントにつながる第一セグメント及び第二セグメントを含む、
請求項２又は３に記載のウィンドウ。
【請求項５】
前記第一放射要素は、前記第二放射要素の鏡像であり、
前記第三放射要素は、前記第四放射要素の鏡像である、
請求項１乃至４の何れか一項に記載のウィンドウ。
【請求項６】
前記第一放射要素及び前記第二放射要素は、前記第一ボウタイ形状を形成するように、前記非導電性窓ガラス上に外周を定め、
前記第三放射要素及び前記第四放射要素は、前記第二ボウタイ形状を形成するように、前記非導電性窓ガラス上に外周を定め、
前記非導電性窓ガラスは、前記外周のそれぞれの内部の領域全体に及ぶ、
請求項１乃至５の何れか一項に記載のウィンドウ。
【請求項７】
前記第一アンテナ要素の前記第一ボウタイ形状は、前記第二アンテナ要素の前記第二ボウタイ形状よりも大きく、或いは、
前記第二アンテナ要素の前記第二ボウタイ形状は、前記第一アンテナ要素の前記第一ボウタイ形状よりも大きい、
請求項１乃至６の何れか一項に記載のウィンドウ。
【請求項８】
前記第一トレース要素の長さ及び前記第二トレース要素の長さは、前記第一周波数バンドの中心周波数と前記第二周波数バンドの中心周波数との平均に相当する有効波長λの約八分の一である、
請求項１乃至７の何れか一項に記載のウィンドウ。
【請求項９】
前記第一周波数バンドは、８２４ＭＨｚから８９４ＭＨｚの範囲に及び、
前記第二周波数バンドは、１８５０ＭＨｚから２１７０ＭＨｚの範囲に及び、
前記第一トレース要素及び前記第二トレース要素のそれぞれの長さは、４０ｍｍから６０ｍｍの範囲に及ぶ、
請求項１乃至８の何れか一項に記載のウィンドウ。
【請求項１０】
前記第一アンテナ要素及び前記第二アンテナ要素、並びに、前記第一トレース要素及び前記第二トレース要素は、導電体で形成され、該導電体は、導電性ワイヤ又はプリントされた銀である、
請求項１乃至９の何れか一項に記載のウィンドウ。
【請求項１１】
前記第一アンテナ要素と前記第二アンテナ要素との間に配置される少なくとも一つの調整要素を更に含む、
請求項１乃至１０の何れか一項に記載のウィンドウ。
【発明の詳細な説明】
【技術分野】
【０００１】
主題発明は、概して、複数のセルラー周波数バンドにおける無線周波数（ＲＦ）を受信且つ／或いは送信するためのアンテナに関する。
【背景技術】
【０００２】
車両は、その車両のドライバの可視性を実現しながらもその車両のキャビンを囲むために長い間ガラスを実装してきた。そのガラスは、典型的には、そのキャビンを囲むために、斜めに配置される。自動車ガラスは、典型的には、強化ガラス、又は、二枚以上のガラスをプラスチックの中間層と一緒に接合することによって作られる合わせガラスの何れかである。自動車ガラスのようなガラスの特性、及び、車両のウィンドウとして適用される場合のこのガラスの傾斜配置は、その車両のウィンドウとアンテナとの効果的な統合に対する課題を提供する。自動車製造業者は、その車両のウィンドウと一体化されるアンテナによって生じる視覚的な障害物の量に関する厳格な要件を有する。当該技術分野で知られているように、より厳しい要件の一つは、ガラス上に配置されたアンテナの設置面積が、ドライバの視認性を制限してはならない、或いは、およそ１００ｍｍ×１００ｍｍの大きさより大きな領域を視覚的に塞いではならないというものである。車両設計の中には、その車両のウィンドウの縁に沿って黒いセラミックを利用するものもある。この場合、そのアンテナもがそのウィンドウの縁に配置される場合、そのアンテナパターンは、そのドライバにとってあまり見えないものとなる。しかしながら、この配置は、配置柔軟性を制限し、且つ、潜在的にはそのアンテナの性能を制限する。
【０００３】
アンテナとウィンドウとのこの統合は、その車両の空力性能を改善し、且つ、美学的に見て美しい流線形の外観をその車両にもたらす。ＡＭ／ＦＭの地上波放送局によって生成される信号といったＲＦ信号を受信するためのアンテナの統合は、その業界の主要な関心事であった。しかしながら、その車両における無線通信適用に対する消費者の需要を満たすために、その関心は、セルラー周波数バンドにおけるＲＦ信号を送信し且つ／或いは受信するためのアンテナを統合することにまで拡がっている。
【０００４】
現在、様々なセルラー周波数バンドを利用するいくつかの無線通信適用が存在する。例えば、北米で利用される二つのセルラー周波数バンドは、８２４〜８９４ＭＨｚに及ぶ先進移動電話サービス（ＡＭＰＳ）、及び、１８５０〜１９９０ＭＨｚに及ぶパーソナル通信サービス（ＰＣＳ）である。これらの無線通信適用との互換性を有するために、車両は、多数のアンテナを有する場合がある。多数のアンテナは、その車両が様々なセルラー周波数バンドのそれぞれにおける信号を送信し且つ／或いは受信するのを可能にする。
【０００５】
そのセルラー周波数バンドにおけるＲＦ信号を送信し且つ／或いは受信するための様々なアンテナが当該技術分野において知られている。これらのアンテナタイプのいくつかは、ウィンドウに適用される場合、非等角である（例えば、ホイップ型、マスト型、又はパッチ型である。）。そのようなアンテナの例は、Bishopらに対する米国特許第６４２９８１９号明細書（‘８１９特許）に開示されている。‘８１９特許は、第一アンテナ要素及び第二アンテナ要素を含む、プリント回路基板のような誘電体基板の一側面に配置されるアンテナを開示する。接地板は、その第一アンテナ要素及びその第二アンテナ要素に実質的に平行に且つそれらから間隔を空けて配置される。その第一アンテナ要素は、１２７ｍｍ×１２７ｍｍの大きさの矩形形状を有する導電性のパッチである。その第二アンテナ要素は、その第一アンテナ要素内のスロットとして定義され且つボウタイ形状を形成するよう配置される二つの放射要素を含む。更に、‘８１９特許のアンテナは、その第二アンテナ要素の縁内に位置付けられ且つその誘電体基板の反対側に配置される裏面アンテナ要素群を含む。その第一アンテナ要素は、８８０〜９６０ＭＨｚに及ぶ第一セルラー周波数バンドで共振をもたらし、その第二アンテナ要素及びその裏面アンテナ要素群は、１９２０〜２１７０ＭＨｚに及ぶ第二セルラー周波数バンドで共振をもたらす。
【０００６】
特に、‘８１９特許のアンテナは、その誘電体の両側に配置されるアンテナ要素群を有するので、強化ガラスのような自動車ガラスにおけるそのようなデザインを統合する際には、製造上の問題が存在する。例えば、それら第一アンテナ要素群及び接地板又は裏面アンテナ要素群を、その車両の外にある湿気、風、ほこり等への露出から保護するためのレードームが必要とされ得る。更に、‘８１９特許のアンテナは、自動者製造業者が自動車ガラスに統合されるのを望むものよりも大きさ設置面積を有する。
【先行技術文献】
【特許文献】
【０００７】
【特許文献１】米国特許第６４２９８１９号明細書
【発明の概要】
【発明が解決しようとする課題】
【０００８】
それ故、その無線通信適用によって要求される様々なセルラー周波数バンドのそれぞれにおけるＲＦ信号を送信し且つ／或いは受信することができるその車両のウィンドウに統合される改良型アンテナを開発することが望ましい。更に、自動車ガラスに統合された場合に、実質的な視覚的障害物を創出することなく、その車両の美的外観を変えることもないがそれでもなお最適な受信を維持する高性能アンテナのための機会が残されている。
【課題を解決するための手段】
【０００９】
主題発明は、統合アンテナすなわちそのウィンドウに統合されるアンテナを有するウィンドウを提供する。主題発明に係る統合アンテナは、第一周波数バンド及び第二周波数バンドにおけるデュアルバンド動作を実現させる。そのウィンドウは、非導電性窓ガラス、第一アンテナ要素、第二アンテナ要素、第一トレース要素、及び第二トレース要素を含む。
【００１０】
第一アンテナ要素は、非導電性窓ガラス上に配置され、第一放射要素及び第二放射要素を有する。その第一放射要素及びその第二放射要素は、第一ボウタイ形状を形成するために、対向する関係で一緒に配置される。その第二アンテナ要素もまた、その非導電性窓ガラス上に配置される。その第二アンテナ要素は、その第一アンテナ要素から間隔を空けられ、第三放射要素及び第四放射要素を有する。その第一アンテナ要素における第一放射要素及び第二放射要素と同様に、その第二アンテナ要素における第三放射要素及び第四放射要素は、対向する関係で一緒に配置される。この対向する関係は、その第一ボウタイ形状の寸法とは異なる寸法を有する第二ボウタイ形状を形成する。
【００１１】
主題発明に係るアンテナは、その第一セルラー周波数バンド及び第二セルラー周波数バンドにおけるＲＦ信号を送信し且つ／或いは受信する際に、優れた性能特性をもたらす。これらの特性は、第一及び第二周波数バンドにおける高い放射ゲイン、高い放射効率、及びより広い帯域幅を含む。主題発明に係るアンテナは、そのウィンドウに統合されるので、そのアンテナは、全体的にそのウィンドウと共形（conformal）であり、また、比較的コンパクトであり、そのウィンドウの比較的小さな領域を占め、更にまた、セルラーＲＦ信号を送信し或いは受信する際に高い性能をもたらす。更に、そのアンテナのレイアウト及びコンパクトサイズは、ドライバの視認性に対してそれ自身を目立たないものにし、それ故に、美的障害及び安全性障害を最小限のものとする。それ故に、主題発明に係るアンテナは、自動車製造業者及びそれら自動車のドライバにとって望ましいものとなる。
【００１２】
本発明の他の有利点は、添付図面と一緒に検討された場合、以下の詳細な説明を参照することによってよりよく理解されるので、それらは容易に理解されるであろう。
【図面の簡単な説明】
【００１３】
【図１】非導電性窓ガラス上に配置されたアンテナを有する車両の斜視図である。
【図２】第一アンテナ要素、第二アンテナ要素、第一トレース要素、及び第二トレース要素を示すアンテナの一実施例の斜視図である。
【図３】アンテナに給電するための別の実施例の斜視図である。
【図４】寸法を含むアンテナの斜視図である。
【図５】第一アンテナ要素が第二アンテナ要素よりも小さいアンテナの別の実施例の斜視図である。
【図６】アンテナの第一実施例におけるＳ１１パラメータの大きさ（ｄＢ）を示すチャートである。
【図７】第一アンテナ要素と第二アンテナ要素との間に配置された一対の調整要素を示すアンテナの別の実施例の斜視図である。
【図８】第一アンテナ要素と第二アンテナ要素との間に配置された複数の調整要素を含むアンテナの更に別の実施例の斜視図である。
【発明を実施するための形態】
【００１４】
複数の図を通じて同様の参照符号が同様の部品を示すところの図を参照すると、第一周波数バンド及び第二周波数バンドでのデュアルバンド動作のための統合アンテナ１２を有するウィンドウ１０が全体的に示されている。このウィンドウ１０は、図１で示されるようなリアウィンドウ（backlite:後部窓）であってもよく、フロントウィンドウ（windshield:前部窓）であってもよく、或いは、車両１４の他の何れのウィンドウであってもよい。統合アンテナ１２（以下、単にアンテナ１２と称する。）はまた、建物や（無線送受信器が非導電性窓ガラス１６を含む限りにおいて）無線送受信器に統合されるものといった、車両１４から完全に切り離された他の場所に実装されるものであってもよい。
【００１５】
ウィンドウ１０は、非導電性窓ガラス１６を含む。用語“非導電性”は、異なる電位を有する導電体群の間に配置された場合に、印加された電圧に同調するほんの僅かな或いは無視できる程度の電流が物質を流れことしか許容しない、絶縁体又は誘電体のような材料を参照する。典型的には、非導電性材料は、およそナノジーメンス／メートルの伝導率を有する。
【００１６】
非導電性窓ガラス１６は、好適には自動車ガラスであり、より好適にはソーダライムシリカガラスである。必須ではないが、非導電性窓ガラス１６は、典型的には、１．５ｍｍ〜５．０ｍｍの厚みを規定し、好適には、３．１ｍｍである。非導電性窓ガラス１６はまた、典型的には、５〜９の比誘電率を有し、好適には７である。しかしながら、当業者は、非導電性窓ガラス１６がプラスチック、繊維ガラス、又は他の適切な非導電性材料で作られてもよく、また、任意の厚みを有していてもよく、任意の比誘電率を有していてもよいことを認識する。
【００１７】
好適な実施例における非導電性窓ガラス１６は、７の比誘電率を有する。それ故に、非導電性窓ガラス１６は、アンテナ１２の性能特性に影響を与える。当然のことながら、アンテナ１２は、非導電性窓ガラス１６が自動車ガラス以外の材料でできている別の実施例において同様の性能を発揮するために変更され得る（或いは調整され得る。）。
【００１８】
好適な実施例において、非導電性窓ガラス１６は、少なくとも一枚のガラス１８として実現される。当然ながら、ウィンドウ１０は、一枚以上のガラス１８を含み得る。当業者は、自動車用ウィンドウ（特に前部窓）がポリビニル・ブチラール（ＰＶＢ）の層を挟む二枚のガラスを含み得ることを認識する。更に、非導電性窓ガラス１６は、典型的には、一枚の透明ガラス１８である。ガラスは、無形性物質で且つ絶縁体であり、本質的に透明である。当業者によって理解されるように、一枚の透明自動車ガラス１８は、透き通っており（すなわち不透明でなく）、典型的には、約３８０〜７６０ナノメートルの波長で７０％以上の可視光線透過率（ＬＴＡ）を有する。当然のことながら、シェードバンドが非導電性窓ガラス１６の最上領域に適用されてもよく、且つ／或いは、黒セラミック掩蔽バンドが非導電性窓ガラス１６の周囲に適用されてもよい。
【００１９】
説明のためだけに、主題発明は、一枚の自動車ガラス１８である好適な非導電性窓ガラス１６との関連に限って、以下で参照される。このことは、限定的なものとして解釈されてはならない。上述の通り、アンテナ１２がガラス１８以外でできた非導電性窓ガラス１６を用いて実現され得るからである。
【００２０】
一枚の自動車ガラス１８は、アンテナ１２に対するレードームとして機能し得る。すなわち、一枚の自動車ガラス１８は、以下で詳細に説明されるように、車両１４の外側に存在する湿気、風、ほこり等への露出から、アンテナ１２の他の構成要素を保護する。
【００２１】
図２で示されるように、アンテナ１２は、同軸ケーブルのようなアンテナフィーダ４０を介して車両１４のＲＦ回路（図示せず。）に電気的に接続される。より詳細には、アンテナフィーダ４０は、内部導電体４２及び外部導電体４４を含む。図３は、アンテナ１２に給電するための別の実施例を示す。アンテナフィーダ４０は、第一トレース要素２４の遠位端４８及び第二トレース要素２６の遠位端５２につながる。更に、アンテナ１２及び／又はフィード構造の方向は、車両１４におけるアンテナ１２の位置に応じて回転させられ得る。
【００２２】
主題発明に係るアンテナ１２は、第一アンテナ要素２０、第二アンテナ要素２２、第一トレース要素２４、及び第二トレース要素２６を含む。第一アンテナ要素２０は、非導電性窓ガラス１６上に配置され、第一放射要素２８及び第二放射要素３０を有する。以下で追加的に説明される第一放射要素２８及び第二放射要素３０は、第一ボウタイ形状３２を形成するように対向する関係で一緒に配置される。
【００２３】
第一アンテナ要素２０と同様に、第二アンテナ要素２２は、非導電性窓ガラス１６上に配置される。第二アンテナ要素２２は、第一アンテナ要素２０から間隔を空けて配置され、第三放射要素３４及び第四放射要素３６を有する。第三放射要素３４及び第四放射要素３６は、第二ボウタイ形状３８を形成するように対向する関係で一緒に配置される。図（特に図２）で示されるように、第三放射要素３４及び第四放射要素３６によって形成される第二ボウタイ形状３８は、第一アンテナ要素２０の第一放射要素２８及び第二放射要素３０によって形成される第一ボウタイ形状３２とは異なる寸法を有する。
【００２４】
第一放射要素２８及び第二放射要素３０は、非導電性窓ガラス１６上で外周を定め、第一ボウタイ形状３２を形成するように対向する関係で一緒に配置される。好適には、第一放射要素２８及び第二放射要素３０は、同じ寸法及び形状を有し、第一放射要素２８は、図４で示されるように延びるＺ軸に対して、第二放射要素３０の鏡像となる。また、第一放射要素２８及び第二放射要素３０は、８２４〜８９４ＭＨｚに及ぶ第一周波数バンドで動作するようにアンテナ１２の共振及び帯域幅を提供するよう寸法取りされる。
【００２５】
第三放射要素３４及び第四放射要素３６もまた、非導電性窓ガラス１６上で外周を定め、第二ボウタイ形状３２を形成するように対向する関係で一緒に配置される。好適には、第三放射要素３４及び第四放射要素３６は、同じ寸法及び形状を有し、第三放射要素３４は、図４で示されるＺ軸に対して、第四放射要素３６の鏡像となる。また、第三放射要素３４及び第四放射要素３６は、１８５０〜２１７０ＭＨｚに及ぶ第二周波数バンドで動作するようにアンテナ１２の共振及び帯域幅を提供するよう寸法取りされる。当然ながら、第一放射要素２８、第二放射要素３０、第三放射要素３４、及び第四放射要素３６のための他の範囲の寸法が、所望とする第一周波数バンド及び第二周波数バンド並びにそれらの帯域幅に応じて、アンテナ１２の適切な動作をもたらすのに適したものとなり得る。
【００２６】
再び図４を参照すると、第一放射要素２８の寸法と第三放射要素３４の寸法とは、第一放射要素２８が第三放射要素３４よりも大きいという点で異なる。更に、第二放射要素３０の寸法と第四放射要素３６の寸法とは、第二放射要素３０が第四放射要素３６よりも大きいという点で異なる。言い換えると、第一アンテナ要素２０又は第一ボウタイ形状３２は、第二アンテナ要素２２又は第二ボウタイ形状３８よりも大きい。当然のことながら、アンテナ１２は、図５におけるアンテナの実施例で示されるように、第二アンテナ要素２２又は第二ボウタイ形状３８が、第一アンテナ要素２０又は第一ボウタイ形状３２よりも大きくなるよう設計されてもよい。
【００２７】
上述のように、本発明に係るアンテナ１２はまた、第一トレース要素２４及び第二トレース要素２６を含む。第一トレース要素２４は、第一放射要素２８と第三放射要素３４との間に接続され且つそれらの間に延在する。第二トレース要素２６は、第二放射要素３０と第四放射要素３６との間に接続され且つそれらの間に延在する。第一トレース要素２４及び第二トレース要素２６の双方は、互いに平行に延在し、好適には２ｍｍだけ間隔を空けて配置される。図４で示されるように、第一トレース要素２４及び第二トレース要素２６のそれぞれの長さＬＬは、第一周波数バンドの中心周波数と第二周波数バンドの中心周波数との平均に相当する有効波長λの約八分の一となる。主題発明において、その有効波長の決定では、非導電性窓ガラス１６の絶縁定数が考慮される。第一トレース要素２４及び第二トレース要素２６のそれぞれの長さは、４０〜６０ｍｍに及ぶ。第一トレース要素２４及び第二トレース要素２６の双方は、上述のデュアルバンド動作のために、第一アンテナ要素２０と第二アンテナ要素２２との間の電磁結合を構築する。
【００２８】
第一アンテナ要素２０及び第二アンテナ要素２２、並びに、第一トレース要素２４及び第二トレース要素２６は、導電性材料で形成される。より詳細には、第一アンテナ要素２０及び第二アンテナ要素２２は、パッチ型放射要素に限定されることはない。その代わりに、第一アンテナ要素２０及び第二アンテナ要素２２は、ウィンドウ１０に直接適用される、プリントされた銀、金属ワイヤ、又はそれらの組み合わせから形成される。第一トレース要素２４及び第二トレース要素２６も同様に、ウィンドウ１０に直接適用される、プリントされた銀又は金属ワイヤから形成される。当業者は、曇り止め線やＡＭ／ＦＭアンテナの印刷方法のような標準的な印刷技術によってアンテナ１２がウィンドウ１０に直接適用され得ることを理解する。
【００２９】
図４を参照すると、第一トレース要素２４は、第一放射要素２８に接続される近位端４６と、第三放射要素３４に接続される遠位端４８とを有する。第二トレース要素２６は、第二放射要素３０に接続される近位端５０と、第四放射要素３６に接続される遠位端５２とを有する。近位端４６、５０の双方は、アンテナ１２に対する電気的接続をもたらす。図２〜５、７、及び８で示されるように、第一トレース要素２４の近位端４６及び第二トレース要素２６の近位端５０はそれぞれ、内部導電体４２及び外部導電体４４を介してＲＦ回路に接続される。当然のことながら、その接続は、逆転させられ得る。例えば、第一トレース要素２４の近位端４６が外部導電体４４に接続され、第二トレース要素２６の近位端５０が内部導電体４２に接続され得る。
【００３０】
第一放射要素２８及び第二放射要素３０、並びに、第三放射要素３４及び第四放射要素３６を再び参照すると、第一放射要素２８及び第三放射要素３４はそれぞれ、第一トレース要素２４における近位端４６及び遠位端４８から延び、第二放射要素３０及び第四放射要素３６はそれぞれ、第二トレース要素２６における近位端５０及び遠位端５２から延びる。
【００３１】
より詳細には、第一放射要素２８は、第一トレース要素２４の近位端４６で始まって枝分かれする好適には同じ長さである第一セグメント５４及び第二セグメント５５を含み、第一セグメント５４及び第二セグメント５５の双方は、全体的に三角形状を有する閉ループを形成するために、第三セグメント５６につながる。第一放射要素２８における第一セグメント５４、第二セグメント５５、及び第三セグメント５６は、外周を定め、その外周内には導電体が存在せず、車両１４のウィンドウ１０に対して主題発明に係るアンテナ１２が適用された場合に、審美性及び視認性に対する障害物が最小限に抑えられるようにする。
【００３２】
第二放射要素３０もまた、第二トレース要素２６の近位端５０で始まって枝分かれする好適には同じ長さである第一セグメント５８及び第二セグメント５９を含み、第一セグメント５８及び第二セグメント５９の双方は、全体的に三角形状を有する閉ループを形成するために、第三セグメント６０につながる。第二放射要素３０における第一セグメント５８、第二セグメント５９、及び第三セグメント６０もまた、外周を定め、その外周内には導電体が存在せず、審美性及び視認性に対する障害物が最小限に抑えられるようにする。第一放射要素２８及び第二放射要素３０における第一セグメント５４、５８及び第二セグメント５５、５９の長さＬ１は、典型的には、４０ｍｍから５０ｍｍの範囲にある。第一放射要素２８の第三セグメント５６及び第二放射要素３０の第三セグメント６０の長さＬ２は、典型的には、１５ｍｍから３５ｍｍの範囲にある。
【００３３】
図４で示されるように、第一放射要素２８の第一セグメント５４及び第二セグメント５５は、第一角６２を形成するように、第一トレース要素２４の近位端４６から枝分かれするように延びる。第二放射要素３０の第一セグメント５８及び第二セグメント５９は、第二角６４を形成するように、第二トレース要素２６の近位端５０から枝分かれするように延びる。第一角６２及び第二角６４はそれぞれ、好適には、４０〜４５度の範囲にある。
【００３４】
再び図４を参照すると、第三放射要素３４もまた、第一トレース要素２４の遠位端４８で始まって枝分かれする好適には同じ長さである第一セグメント６６及び第二セグメント６７を含み、第一セグメント６６及び第二セグメント６７の双方は、全体的に三角形状を有する閉ループを形成するために、第三セグメント６８につながる。第三放射要素３４における第一セグメント６６、第二セグメント６７、及び第三セグメント６８は、外周を定め、その外周内には導電体又は他の不透明物質が存在せず、審美性及び視認性に対する障害物が最小限に抑えられるようにする。
【００３５】
第四放射要素３６もまた、第二トレース要素２６の遠位端５２から枝分かれする好適には同じ長さである第一セグメント７０及び第二セグメント７１を含み、第一セグメント７０及び第二セグメント７１の双方は、全体的に三角形状を有する閉ループを形成するために、第三セグメント７２につながる。第四放射要素３６における第一セグメント７０、第二セグメント７１、及び第三セグメント７２は、外周を定め、その外周内には導電体が存在せず、審美性及び視認性に対する障害物が最小限に抑えられるようにする。第三放射要素３４及び第四放射要素３６における第一セグメント６６、７０及び第二セグメント６７、７１の長さＬ３は、典型的には、１５ｍｍから２５ｍｍの範囲にある。第三放射要素３４の第三セグメント６８及び第四放射要素３６の第三セグメント７２の長さＬ４は、典型的には、１５ｍｍから３５ｍｍの範囲にある。
【００３６】
図４において、第三放射要素３４における第一セグメント６６及び第二セグメント６７は、第三角７４を形成するように、第一トレース要素２４の遠位端４８から枝分かれするように延びる。第四放射要素３６における第一セグメント７０及び第二セグメント７１は、第四角７６を形成するように、第二トレース要素２６の遠位端５２から枝分かれするように延びる。第三角７４及び第四角７６のそれぞれは、好適には、約６０〜６５度の範囲にある。
【００３７】
図６は、アンテナ１２のＳ１１パラメータの大きさ（ｄＢ）を示すチャートである。典型的には、アンテナは、所与の周波数バンドに対応するＳ１１パラメータの大きさが−１０ｄＢ以下である場合に、その所与の周波数バンドで動作すると考えられている。このチャートで示されるように、主題発明に係るアンテナ１２は、第一周波数バンド及び第二周波数バンドにおけるデュアルバンド動作を示している。
【００３８】
図７及び図８でその代わりになるべきものとして示されるように、本発明に係るアンテナ１２はまた、第一アンテナ要素２０と第二アンテナ要素２２との間に配置され且つプリントされた銀、金属ワイヤ、又はそれらの組み合わせから形成される少なくとも一つの調整要素７７を含んでいてもよい。図７で示されるように、第一調整要素７８は、第一トレース要素２４から実質的に垂直に延び、第二調整要素８０は、第二トレース要素２６から実質的に垂直に延びる。第一調整要素７８及び第二調整要素８０の長さ及び位置の調整は、第一周波数バンド及び第二周波数バンドにおけるアンテナ１２の適切な動作を支援する。当然のことながら、アンテナ１２は、図８で示されるような追加的な調整要素群８２を含んでいてもよい。
当然ながら、上述の教示を考慮して、本発明に対する多くの改良及び変形が実現可能である。本発明は、添付された請求項で詳細に説明された以外の態様でも実施され得る。
【図１】
0005432159.tif 000002
【図２】
0005432159.tif 000003
【図３】
0005432159.tif 000004
【図４】
0005432159.tif 000005
【図５】
0005432159.tif 000006
【図６】
0005432159.tif 000007
【図７】
0005432159.tif 000008
【図８】
0005432159.tif 000009